(57)【特許請求の範囲】
【請求項１】
原稿が配置される原稿台と、 
前記原稿台を覆う位置と開放した位置とに開閉するカバーと、
前記カバーの開閉を検知するカバーセンサと、
前記原稿台側に向けて光を出射する光源、および、前記原稿台側からの光を受光する受光部を有する画像読取部と、
前記画像読取部を、副走査方向に移動させる移動部と、
前記画像読取部および前記移動部を制御する制御部と、を備え、
前記制御部は、
前記カバーセンサにより前記カバーが開状態であることが検知された時点で、前記原稿台上において、所定位置を基準に設定され長辺が前記副走査方向に平行である縦向き配置領域内であって、且つ、前記所定位置を基準に設定され短辺が前記副走査方向に平行である横向き配置領域の外である対象領域からの外乱光を受光可能な受光位置に、前記画像読取部を所定の待機位置から移動させる動作を開始させる移動処理であって、前記外乱光は前記光源から出射される光とは異なる光である前記移動処理と、
前記移動処理後に、前記受光部の受光結果が基準条件を満たす場合に前記対象領域に原稿が有ることを示す原稿有りと判断し、前記受光部の受光結果が基準条件を満たさない場合に前記対象領域に原稿が無いこと示す原稿無しと判断する判断処理と、
前記判断処理で前記原稿有りと判断した場合、前記縦向き配置領域に原稿が配置されているとし、前記判断処理で前記原稿無しと判断した場合、前記横向き配置領域に原稿が配置されているとする判別処理と、を実行する構成を有する画像読取装置。
【請求項２】
請求項１に記載の画像読取装置であって、 
前記制御部は、 
前記画像読取部を、前記所定位置と前記対象領域との間の検知位置に移動させて、前記原稿台に配置された原稿の一部の画像を読取画像として読み取らせ、その読取画像から前記原稿について前記副走査方向に直交する主走査方向の幅を検知する検知処理と、 
前記判別処理で前記縦向き配置領域に原稿が配置されていると判断した場合、当該原稿のサイズは、短辺の長さが、前記検知処理で検知された前記主走査方向の幅であるサイズと決定し、前記横向き配置領域に原稿が配置されていると判断した場合、当該原稿のサイズは、長辺の長さが、前記検知処理で検知された前記主走査方向の幅であるサイズと決定する決定処理と、を実行する構成を有する画像読取装置。 
【請求項３】
請求項１または２に記載の画像読取装置であって、 
前記制御部は、 
前記カバーセンサにより前記カバーが閉状態であることが検知されるまで前記画像読取部を前記受光位置に待機させつつ前記判断処理を繰り返し実行し、 
前記閉状態が検知される前に最後に実行された前記判断処理の判断結果に基づき、前記判別処理を実行する、画像読取装置。
【請求項４】
請求項１から３に記載の画像読取装置であって、 
前記制御部は、 
前記判断処理において、前記光源を消灯させた状態で、前記受光部の受光結果を取得する、画像読取装置。
【請求項５】
請求項１から４のいずれか一項に記載の画像読取装置であって、 
前記受光部は、複数の受光素子が、前記移動方向に直交する方向に沿って配列された構成であり、 
前記制御部は、 
前記判断処理において、前記対象領域からの光を受光可能な一部の受光素子の受光結果だけに基づき前記対象領域に原稿が有るか否かを判断する、画像読取装置。
【請求項６】
請求項１から５のいずれか一項に記載の画像読取装置であって、 
前記原稿台には、互いにサイズが異なる複数の前記縦向き配置領域および複数の前記横向き配置領域が設定されており、
前記対象領域は、前記複数の縦向き配置領域のうち最小サイズの縦向き配置領域内であって、前記複数の横向き配置領域のうち最大サイズの横向き配置領域の外の領域である、画像読取装置。
【請求項７】
原稿が配置される原稿台と、 
前記原稿台を覆う位置と開放した位置とに開閉するカバーと、
前記カバーの開閉を検知するカバーセンサと、
前記原稿台側に向けて光を出射する光源、および、前記原稿台側からの光を受光する受光部を有する画像読取部と、 
前記画像読取部を、副走査方向に移動させる移動部とを備える画像読取装置が有するコンピュータに、 
前記カバーセンサにより前記カバーが開状態であることが検知された時点で、前記原稿台上において、所定位置を基準に設定され長辺が前記副走査方向に平行である縦向き配置領域内であって、且つ、前記所定位置を基準に設定され短辺が前記副走査方向に平行である横向き配置領域の外である対象領域からの外乱光を受光可能な受光位置に、前記画像読取部を所定の待機位置から移動させる動作を開始させる移動処理であって、前記外乱光は前記光源から出射される光とは異なる光である前記移動処理と、 
前記移動処理後に、前記受光部の受光結果が基準条件を満たす場合に前記対象領域に原稿が有ることを示す原稿有りと判断し、前記受光部の受光結果が基準条件を満たさない場合に前記対象領域に原稿が無いこと示す原稿無しと判断する判断処理と、 
前記判断処理で前記原稿有りと判断した場合、前記縦向き配置領域に原稿が配置されているとし、前記判断処理で前記原稿無しと判断した場合、前記横向き配置領域に原稿が配置されているとする判別処理と、を実行させる原稿配置判別プログラム。
【発明の詳細な説明】
【技術分野】
【０００１】
画像読取装置において、原稿台に配置された原稿の配置向きを判別するための技術に関する。
【背景技術】
【０００２】
画像読取装置には、原稿が配置される原稿台に対して画像読取部を移動させつつ、当該画像読取部により上記原稿の画像を読み取らせるタイプがある。この原稿台には、例えば当該原稿台の１つの角を基準に、原稿が配置されるが、例えば同じサイズの原稿でも互いに異なる向きに配置されることがある。例えば、Ａ４サイズの原稿は、短辺が画像読取部の移動方向、換言すれば副走査方向に平行になる向きに配置されたり、長辺が副走査方向に平行になる向きに配置されたりする。以下、短辺が副走査方向に平行になる向きを横向き、長辺が副走査方向に平行になる向きを縦向きという。
【０００３】
また、原稿台には、全体のサイズが互いに異なる２種類の原稿であって、上記読取デバイスの移動方向に直交する方向、換言すれば主走査方向の幅が同じであり、副走査方向の幅が異なるサイズの原稿が互いに異なる向きに配置されることがある。例えば、Ａ４サイズの原稿は横向きで配置され、Ａ３サイズの原稿は縦向きで配置されることがある。
【０００４】
そこで、従来から、縦向きのＡ３サイズの原稿と横向きのＡ４サイズの原稿とを判別する画像読取装置がある（特許文献１）。この画像読取装置は、原稿台上において、縦向きのＡ３サイズの原稿配置領域内であって、且つ、横向きのＡ４サイズの原稿配置領域の外である領域を検知対象とする原稿検知センサを有する。そして、画像読取装置は、その原稿検知センサの検知結果が原稿有りであれば、原稿台に配置されている原稿を、縦向きのＡ３サイズであると判定し、検知結果が原稿無しであれば、原稿台に配置されている原稿を、横向きのＡ４サイズであると判定する。なお、この原稿の配置向きの判別結果は、例えば原稿の画像読取動作時における読取デバイスの移動範囲や読取範囲を決定したりすることに利用される。
【先行技術文献】
【特許文献】
【０００５】
【特許文献１】特開２００１−２８２０４９号公報
【発明の概要】
【発明が解決しようとする課題】
【０００６】
ところが、上記従来の画像読取装置では、原稿の配置向きの判別のために専用のセンサが必要であるため、部品点数の増加や、画像読取装置の既存部品の配置の制約などの問題が生じるおそれがある。また、仮に専用のセンサを設けた構成であっても、例えばセンサの故障等により原稿の配置向きを誤判別するおそれがある。
【０００７】
本明細書では、専用のセンサを設けることなく、原稿の配置向きを判別すること、或いは、専用のセンサを設けた構成において更に原稿の配置向きの判別精度を向上させることが可能な技術を開示する。
【課題を解決するための手段】
【０００８】
本明細書によって開示される画像読取装置は、原稿が配置される原稿台と、前記原稿台側に向けて光を出射する光源、および、前記原稿台側からの光を受光する受光部を有する画像読取部と、前記画像読取部を、副走査方向に移動させる移動部と、前記画像読取部および前記移動部を制御する制御部と、を備え、前記制御部は、前記原稿台上において、所定位置を基準に設定され長辺が前記副走査方向に平行である縦向き配置領域内であって、且つ、前記所定位置を基準に設定され短辺が前記副走査方向に平行である横向き配置領域の外である対象領域からの光を受光可能な受光位置に、前記画像読取部を移動させる移動処理と、前記移動処理後に、前記受光部の受光結果が基準条件を満たす場合に前記対象領域に原稿が有ると判断する判断処理と、前記判断処理で前記原稿有りと判断した場合、前記縦向き配置領域に原稿が配置されているとし、前記判断処理で前記原稿無しと判断した場合、前記横向き配置領域に原稿が配置されているとする判別処理と、を実行する構成を有する。
【０００９】
この画像読取装置によれば、画像読取部が、縦向き配置領域内であって、且つ、横向き配置領域の外である対象領域からの光を受光可能な位置に移動される。そして、この位置での受光部の受光結果は、原稿が縦向き配置領域に配置された場合と、原稿が横向き配置領域に配置された場合とで互いに異なる。従って、受光部の受光結果から、原稿が縦向きか横向きかを判別することができる。このように、画像読取部を、対象領域上の原稿の有無を検知するためのセンサとして利用することにより、専用のセンサを設けることなく、原稿の配置向きを判別すること、或いは、専用のセンサを設けた構成において更に原稿の配置向きの判別精度を向上させることが可能である。
【００１０】
上記画像読取装置では、前記制御部は、前記画像読取部を、前記所定位置と前記対象領域との間の検知位置に移動させて、前記原稿台に配置された原稿の一部の画像を読み取らせ、その読取画像から前記原稿について前記副走査方向に直交する主走査方向の幅を検知する検知処理と、前記判別処理で前記縦向き配置領域に原稿が配置されていると判断した場合、当該原稿のサイズは、短辺の長さが、前記検知処理で検知された前記主走査方向の幅であるサイズと決定し、前記横向き配置領域に原稿が配置されていると判断した場合、当該原稿のサイズは、長辺の長さが、前記検知処理で検知された前記主走査方向の幅であるサイズと決定する決定処理と、を実行する構成を有してもよい。
【００１１】
主走査方向の幅を検知することにより、例えば縦向きのＡ４サイズの原稿と、縦向きのＡ３サイズの原稿とを区別することができる。従って、この画像読取装置によれば、縦向きか横向きかどうかの判別結果、および、主走査方向の幅の検知結果に基づき、原稿台に配置されている原稿のサイズを決定することができる。
【００１２】
上記画像読取装置では、前記原稿台を覆う位置と開放した位置とに開閉するカバーと、前記カバーの開閉を検知するカバーセンサと、を備え、前記制御部は、前記移動処理において、前記カバーセンサにより前記カバーが開状態であることが検知された時点で、前記画像読取部を所定の待機位置から前記受光位置に向けて移動させる動作を開始させてもよい。
【００１３】
原稿台にカバーが開閉可能に設けられている構成では、カバーが開状態になった場合、原稿が原稿台に配置される可能性が高い。そこで、この画像読取装置によれば、カバーセンサによりカバーが開状態であることが検知された時点で、画像読取部を所定の待機位置から受光位置に向けて移動させる動作が開始される。従って、原稿が原稿台に配置される可能性が高い場合、画像読取装置を早期に受光位置に移動させて対象領域に原稿が有るか否かの判断処理を行うことができる。
【００１４】
上記画像読取装置では、前記制御部は、前記カバーセンサにより前記カバーが閉状態であることが検知されるまで前記画像読取部を前記受光位置に待機させつつ前記判断処理を繰り返し実行し、前記閉状態が検知される前に最後に実行された前記判断処理の判断結果に基づき、前記判別処理を実行してもよい。
【００１５】
カバーが開状態であるときに原稿が配置されたり、配置された原稿が取り除かれたりする。そこで、この画像読取装置によれば、カバーが閉状態になる直前の判断処理の判断結果に基づき、原稿の有無の最終的な状態を判断し、原稿の配置向きの判別精度を向上させることができる。
【００１６】
上記画像読取装置では、前記制御部は、前記判断処理において、前記光源を消灯させた状態で、前記受光部の受光結果を取得してもよい。
【００１７】
光源から光を出射させなくても、外乱光等の影響により、受光部の受光結果は、原稿が縦向き配置領域に配置された場合と、原稿が横向き配置領域に配置された場合とで互いに異なる。原稿が有る場合は、光源から光を出射させない場合は、読取結果は、黒くなるが、原稿が無い場合は、外乱光等の影響により、読取結果が白っぽくなることを利用して、原稿の有り無しを判断している。従って、この画像読取装置によれば、原稿の有無の判断処理において、光源を消灯させることで、光源を点灯させる構成に比べて消費電力を抑制することができる。
【００１８】
上記画像読取装置では、前記受光部は、複数の受光素子が、前記移動方向に直交する方向に沿って配列された構成であり、前記制御部は、前記判断処理において、前記対象領域からの光を受光可能な一部の受光素子の受光結果だけに基づき前記対象領域に原稿が有るか否かを判断してもよい。
【００１９】
この画像読取装置によれば、判断処理において、前記対象領域からの光を受光可能な一部の受光素子の受光結果だけに基づき対象領域に原稿が有るか否かが判断される。従って、すべての受光素子からの受光結果に基づき対象領域に原稿が有るか否かが判断される構成に比べて、判断精度を向上させ、また、不要な受光結果に対する処理を軽減することができる。
【００２０】
上記画像読取装置では、前記原稿台には、互いにサイズが異なる複数の前記縦向き配置領域および複数の前記横向き配置領域が設定されており、前記対象領域は、前記複数の縦向き配置領域のうち最小サイズの縦向き配置領域内であって、前記複数の横向き配置領域のうち最大サイズの横向き配置領域の外の領域でもよい。
【００２１】
この画像読取装置によれば、対象領域は、複数の縦向き配置領域のうち最小サイズの縦向き配置領域内であって、複数の横向き配置領域のうち最大サイズの横向き配置領域の外の領域とされている。従って、様々なサイズの原稿に対して配置向きを判別することが可能である。
【００２２】
なお、この発明は、画像読取装置、原稿配置判別方法、これらの方法または装置の機能を実現するためのコンピュータプログラム、そのコンピュータプログラムを記録した記録媒体等の種々の態様で実現することができる。
【発明の効果】
【００２３】
本明細書によって開示される発明によれば、専用のセンサを設けることなく、原稿の配置向きを判別すること、或いは、専用のセンサを設けた構成において更に原稿の配置向きの判別精度を向上させることが可能である。
【図面の簡単な説明】
【００２４】
【図１】一実施形態に係るスキャナ装置の側面概略図
【図２】原稿台の上面図
【図３】スキャナ装置の電気的構成を概略的に示すブロック図
【図４】制御処理を示すフローチャート
【図５】カバー開閉、読取指令および読取動作のタイムチャート（その１）
【図６】カバー開閉、読取指令および読取動作のタイムチャート（その２）
【図７】原稿有無更新処理を示すフローチャート
【図８】カバー開閉、読取指令および読取動作のタイムチャート（その３）
【図９】カバー開閉、読取指令および読取動作のタイムチャート（その４）
【図１０】原稿サイズ決定テーブルを示す模式図
【発明を実施するための形態】
【００２５】
一実施形態のスキャナ装置１について図１〜図１０を参照しつつ説明する。以下の説明では、図１の紙面左側を、スキャナ装置１の前側（Ｆ）とし、紙面手前側を、スキャナ装置１の右側（Ｒ）とし、紙面上側を、スキャナ装置１の上側（Ｕ）とする。スキャナ装置１は、画像読取装置の一例である。
【００２６】
（スキャナ装置の機械的構成）
図１に示すように、スキャナ装置１は、装置本体２、および、その装置本体２に開閉可能に設けられているカバー３を備える。装置本体２の上部には、原稿４が配置される原稿配置部５と、その原稿配置部５に載せられた原稿４を読み取る読取デバイス６と、移動機構７とが設けられている。
【００２７】
原稿配置部５は、台枠１１、例えば透明なガラス板など、光透過部材としてのプラテンガラス１２を有し、このプラテンガラス１２に原稿４が配置される。プラテンガラス１２は、原稿台の一例であり、図２に示すように、上側から見て長方形状をしており、そのうち長辺が左右方向に平行であり、短辺が前後方向に平行である。台枠１１は、枠状をしており、プラテンガラス１２の４辺に隣接して設けられている。
【００２８】
カバー３は、その一端が、台枠１１の後端部に開閉可能に支持されている。また、カバー３は、長辺が左右方向に平行な長方形状をしており、閉じた状態で、原稿配置部５全体を覆うサイズである。また、原稿配置部５には、カバー３の開閉を検知するカバーセンサ８が設けられている。なお、カバーセンサ８は、光学センサや磁気センサが含まれる非接触式センサや、圧力センサが含まれる接触式センサなど、公知の各種センサを利用することが可能である。
【００２９】
読取デバイス６は、画像読取部の一例であり、例えばＣＩＳ（Ｃｏｎｔａｃｔ  Ｉｍａｇｅ  Ｓｅｎｓｏｒ）を備え、具体的には、複数の発光素子（例えばＬＥＤ）が前後方向に並んで配置された光源６Ａ（図３参照）と、その近傍に複数の受光素子が前後方向に１列状に並んで配置された受光部６Ｂ（図３参照）とを有する構成である。読取デバイス６は、光源６Ａによりプラテンガラス１２側に向けて光を出射し、受光部６Ｂによりプラテンガラス１２側からの光を受光し、複数の受光素子それぞれの受光量に応じた画素値を含む階調データを出力する読取動作を実行する。以下、ユーザが設定した解像度で実行する読取動作を、本スキャンといい、当該本スキャンよりも低い解像度で実行する読取動作を、プレスキャンという。
【００３０】
以下、図１，２に示すように、前後方向を読取の主走査方向といい、左右方向を読取の副走査方向ということがある。移動機構７は、移動部の一例であり、左右方向に延びるガイド軸７Ａを有し、図示しないモータから伝達される動力により、読取デバイス６を、副走査方向に沿って移動させる。
【００３１】
また、図１に示すように、原稿配置部５の前方には、操作部９及び表示部１０が設けられている。操作部９は、複数のボタンを備え、読取指令など、ユーザにより各種の指示の入力操作が可能である。表示部１０は、ディスプレイやランプ等を備え、各種の設定画面や装置の動作状態等を表示することが可能である。
【００３２】
（スキャナ装置の電気的構成）
図３に示すように、スキャナ装置１は、制御部３１を備え、この制御部３１に、バス３２を介して、読取デバイス６、移動機構７、カバーセンサ８、操作部９、表示部１０などが通信可能に接続されている。制御部３１は、ＣＰＵ（中央処理装置）３３、ＲＯＭ３４、ＲＡＭ３５、画像処理部３６を有し、スキャナ装置１の各部を制御する。
【００３３】
ＲＯＭ３４には、後述する制御処理など、スキャナ装置１の各種動作を実行するためのプログラムが記憶されており、ＣＰＵ３３は、ＲＯＭ３４から読み出したプログラムに従って各部の制御を行う。このプログラムには、原稿配置判別プログラムの一例である原稿サイズ配置向き決定プログラムが含まれる。ＲＡＭ３５は、メモリの一例であり、読取デバイス６から出力された階調データを記憶するバッファや、後述するプレスキャン処理や本スキャン処理等を行う際の作業領域などとして使用される。画像処理部３６は、画像処理専用のハード回路であり、ＣＰＵ３３と協働してプレスキャン処理等を行う。
【００３４】
（原稿配置領域について）
本実施形態では、プラテンガラス１２の１つの角である合わせ位置Ｚを基準として、様々なサイズの原稿４がプラテンガラス１２上に配置可能とされている。この合わせ位置Ｚは、所定位置の一例であり、この近傍にマークＭが示されている。具体的には、図２に示すように、プラテンガラス１２上には、Ｂ６，Ａ５，Ｂ５，Ａ４の定型サイズの原稿４を、横向きに配置することができる。横向き配置とは、原稿４の１つの角を上記合わせ位置Ｚに合わせつつ、当該原稿４の短辺を副走査方向と平行にした配置方法である。図２において、Ｂ６，Ａ５，Ｂ５，Ａ４の符号がそれぞれ付された太線の矩形領域が、横向き配置領域の一例である。
【００３５】
更に、プラテンガラス１２上には、Ｂ５，Ａ４，Ｂ４，Ａ３の定型サイズの原稿４を縦向きに配置することができる。縦向き配置とは、原稿４の１つの角を上記合わせ位置Ｚに合わせつつ、当該原稿４の長辺を副走査方向と平行にした配置方法である。図２において、Ｂ５＿Ｔ，Ａ４＿Ｔ，Ｂ４＿Ｔ，Ａ３＿Ｔの符号がそれぞれ付された細線の矩形領域が、縦向き配置領域の一例である。
【００３６】
また、プラテンガラス１２上において、対象領域Ｅが予め設定されている。この対象領域Ｅは、後述する制御処理において原稿Ｍの有無の判断対象とされる領域である。対象領域Ｅは、最小サイズの縦向き配置領域内であって、最大サイズの横向き配置領域の外の領域とされている。図２の例では、対象領域Ｅは、Ｂ５の縦向き配置領域内であって、Ａ４の横向き配置領域の外の領域に設定されている。
【００３７】
（制御処理）
スキャナ装置１に電源が投入されると、制御部３１は、図４に示す制御処理を実行する。具体的には、ＣＰＵ３３は、読取デバイス６を、プラテンガラス１２よりも左側の待機位置Ｘ０に待機させ（Ｓ１）、カバーセンサ８の検知結果を随時取得し、カバー３の開閉状態を監視する（Ｓ２）。
【００３８】
（１）カバーが閉状態のまま読取指令がされた場合
図５のタイムチャートに示すように、カバー３が閉状態のままで、ユーザにより読取指令がされることがある。この場合、ＣＰＵ３３は、カバー３が閉状態のままで読取指令が有ったと判断し（Ｓ２：ＮＯ、且つ、Ｓ３：ＹＥＳ）、原稿サイズ等の決定処理を行うことなく、読取デバイス６および移動機構７を制御して本スキャン処理を実行し（Ｓ４）、Ｓ１に戻る。
【００３９】
この本スキャン処理では、読取デバイス６は、移動機構７により、待機位置Ｘ０から右方向、即ち読取方向に向けて移動し始めて、プラテンガラス１２の左端を読み取り可能な読取開始位置Ｘ１に移動したときに本スキャンを開始する（図５参照）。そして、読取デバイス６は、例えばプラテンガラス１２の右端を読み取り可能な読取終了位置Ｘ２に達したときに本スキャンを終了する。
【００４０】
このように、プラテンガラス１２上に配置された原稿４のサイズが不明であり、且つ、原稿サイズ等の決定処理を行わない場合、読取デバイス６が読取可能な最大範囲について本スキャンすれば、様々なサイズの原稿４の画像を欠けることなく読み取ることができる。なお、例えば、前回実行された原稿サイズ等の決定処理の結果をＲＡＭ３５に記憶しておき、その結果に対応した範囲で読取デバイス６を移動させつつ本スキャンを実行させる構成でもよい。
【００４１】
一方、ＣＰＵ３３は、読取指令が無い状態でカバー３が開けられたと判断した場合（Ｓ２：ＹＥＳ）、移動機構７により、読取デバイス６を受光位置Ｘ３に移動、換言すれば読取方向に向かって前進させる移動処理を開始する（Ｓ５）。受光位置Ｘ３は、図２に示すように、上記対象領域Ｅからの光を受光可能な位置である。なお、この移動処理では、読取デバイス６は、本スキャンもプレスキャンも行わず、且つ、これらのスキャンの実行時よりも高速で移動する。
【００４２】
（２）読取デバイスが受光位置に到達する前にカバーが閉じられた場合
図６のタイムチャートに示すように、読取デバイス６が受光位置Ｘ３に到達する前にカバー３が閉じられてしまうことがある。この場合、ＣＰＵ３３は、例えば上記移動処理の開始時点から、カバー３が閉じられた時点までの経過時間が所定時間Ｔ未満であることに基づき、読取デバイス６が受光位置Ｘ３に到達する前にカバー３が閉じられたと判断する（Ｓ６：ＮＯ、且つ、Ｓ７：ＹＥＳ）。そして、ＣＰＵ３３は、原稿サイズ等の決定処理を行うことなく、読取デバイス６を待機位置Ｘ０に後退させ（Ｓ８）、読取指令が有った場合（Ｓ９：ＹＥＳ）、上記Ｓ４と同様、本スキャン処理を実行し（Ｓ１０）、Ｓ１に戻る。
【００４３】
一方、ＣＰＵ３３は、カバー３が開状態のまま、例えば上記移動処理の開始時点からの経過時間が上記所定時間Ｔに達したことに基づき、カバー３が閉じられる前に、読取デバイス６が受光位置Ｘ３に到達したと判断する（Ｓ６：ＹＥＳ）。これにより、原稿サイズ等の決定処理を実行することが可能になる。そして、ＣＰＵ３３は、カバー３が開状態であれば（Ｓ１１：ＮＯ）、図７に示す原稿有無更新処理を実行する（Ｓ１２）。
【００４４】
原稿有無更新処理では、ＣＰＵ３３は、上記受光位置Ｘ３において、読取デバイス６の受光結果が基準条件を満たす場合に、対象領域Ｅに原稿４が有ると判断する判断処理を実行する。具体的には、ＣＰＵ３３は、光源６Ａを消灯させた状態で、受光部６Ｂの受光結果、即ち階調データを取得する（Ｓ３１）。
【００４５】
ここで、光源６Ａから光を出射させなくても、外乱光等の影響により、受光部６Ｂの受光結果は、対象領域Ｅに原稿４がある場合と無い場合とで互いに異なる。即ち、原稿４が有る場合は、階調データが示す画素値は黒色の画素値に近くなる一方で、原稿が無い場合は外乱光等の影響により、画素値は白色の画素値に近くなることを利用して、原稿の有無を判断することができる。また、光源６Ａを消灯させるので、光源６Ａを点灯させる構成に比べて消費電力を抑制でき、また、カバー３が開状態でも、ユーザが光源６Ａからの光により眩しく感じることを抑制することができる。
【００４６】
更に、上記判断処理では、ＣＰＵ３３は、対象領域Ｅからの光を受光可能な一部の受光素子の受光結果だけに基づき対象領域Ｅに原稿４が有るか否かを判断する。具体的には、図２に示すように、上記一部の受光素子は、対象領域Ｅよりも狭い幅の領域Ｖ内に位置する１または複数の受光素子である。これにより、すべての受光素子からの受光結果に基づき対象領域Ｅに原稿が有るか否かが判断される構成に比べて、判断精度を向上させ、また、不要な受光結果に対する処理を軽減することができる。以下、一部の受光素子が複数個である場合を例に挙げて説明する。
【００４７】
ＣＰＵ３３は、上記一部の受光素子の画素値の平均値が、閾値未満であるかどうかを判断する。なお、上記一部の受光素子の画素値の最大値と最小値の間の中心値が、閾値未満であるかどうかを判断してもよい。ＣＰＵ３３は、上記画素値の平均値が閾値未満であると判断すれば（Ｓ３２：ＹＥＳ）、対象領域Ｅに原稿４が無いとし、例えばＲＡＭ３５内の原稿有無情報を、原稿無し情報に更新する（Ｓ３３）。
【００４８】
一方、ＣＰＵ３３は、上記画素値の平均値が閾値以上であると判断すれば（Ｓ３２：ＮＯ）、対象領域Ｅに原稿４が有るとし、例えばＲＡＭ３５内の原稿有無情報を、原稿有り情報に更新する（Ｓ３４）。ＣＰＵ３３は、原稿有無情報を更新（Ｓ３３、Ｓ３４）し、規定時間だけ待機した後（Ｓ３５）に本原稿有無更新処理を終了し、図４のＳ１３に進む。そして、原稿有無更新処理は、カバー３が閉じられるか、或いは、読取指令が有るまで繰り返し実行されることにより、原稿有無情報は、常に最新の情報に更新される。
【００４９】
（３）読取デバイスが受光位置に到達した後にカバーが閉じられた場合
図８のタイムチャートに示すように、読取デバイス６が受光位置Ｘ３に到達した後にカバー３が閉じられることがある。この場合、ＣＰＵ３３は、例えば上記移動処理の開始時点から、カバー３が閉じられた時点までの経過時間が所定時間Ｔ以上であることに基づき、読取デバイス６が受光位置Ｘ３に到達した後にカバー３が閉じられたと判断する（Ｓ６：ＹＥＳ、且つ、Ｓ１１：ＹＥＳ）。
【００５０】
また、ＣＰＵ３３は、移動処理の開始時点からの経過時間が所定時間Ｔに達すると、読取デバイス６を停止させて受光位置Ｘ３にて、原稿有無更新処理のための受光動作を実行させる。次に、ＣＰＵ３３は、カバー３が閉じられたと判断すると（Ｓ１１：ＹＥＳ）、読取デバイス６を待機位置Ｘ０まで後退させ（Ｓ１５）、読取指令が有った場合に（Ｓ１６：ＹＥＳ）、プレスキャン処理を実行する（Ｓ１７）。
【００５１】
プレスキャン処理では、ＣＰＵ３３は、読取デバイス６を、合わせ位置Ｚと対象領域Ｅとの間の検知位置Ｘ４に移動させて、プラテンガラス１２に配置された原稿４の一部の画像をプレスキャンさせ、その読取画像から原稿４について主走査方向の幅を検知する検知処理を実行する。本実施形態では、読取デバイス６に、待機位置Ｘ０から早期にプレスキャンを実行させるため、検知位置Ｘ４は、原稿４の左端近傍に設定されている。
【００５２】
検知処理では、例えば画像処理部３６が、プレスキャンで得られた階調データに基づき、エッジ画素を抽出するエッジ抽出処理を行う。そして、複数のエッジ画素が、副走査方向に沿って直線状に並ぶエッジ線のうち、主走査方向において両端に位置する２本のエッジ線が抽出され、これら２本のエッジ線同士の距離が、原稿４の主走査方向の幅として検知される。
【００５３】
（４）読取デバイスが受光位置に到達した後にカバーが閉じられない場合
図９のタイムチャートに示すように、読取デバイス６が受光位置Ｘ３に到達した後にカバー３が閉じられないことがある。この場合、ＣＰＵ３３は、例えば上記移動処理の開始時点からの経過時間が所定時間Ｔに達した後、カバー３が開状態のまま（Ｓ１１：ＮＯ）、読取指令が有ったと判断した場合（Ｓ１３：ＹＥＳ）、読取デバイス６を待機位置Ｘ０まで後退させた後（Ｓ１４）、上記プレスキャン処理を実行する（Ｓ１７）。
【００５４】
ＣＰＵ３３は、プレスキャン処理の実行後、原稿サイズ・配置向きの決定処理を実行する（Ｓ１８）。具体敵には、ＲＡＭ３５には、図１０に示すように、原稿サイズ決定テーブルが記憶されている。原稿サイズ決定テーブルには、主走査方向の幅と、原稿有無結果と、原稿サイズおよび配置向きとの対応関係が示されている。ＣＰＵ３３は、上記原稿有無情報、および、プレスキャンで得られた主走査方向の幅から、原稿サイズ決定テーブルで対応付けられた原稿のサイズ・配置向きを決定する。
【００５５】
例えば、主走査方向の幅が２６２ｍｍより大きく、２１５ｍｍ以下であれば、原稿のサイズおよび配置向きは、Ａ３縦向き、および、Ａ４横向きのいずれかである。そして、原稿有無情報が原稿有りを示す場合には、ＣＰＵ３３は、Ａ３縦向きであると決定し、Ａ３縦向きの配置領域に対応した範囲を読取範囲として、読取デバイス６に本スキャンさせる本スキャン処理を実行し（Ｓ１９）、Ｓ１に戻る。一方、原稿有無情報が原稿無しを示す場合には、ＣＰＵ３３は、Ａ４横向きであると決定し、Ａ４横向きの配置領域に対応した範囲を読取範囲として、読取デバイス６に本スキャンさせる本スキャン処理を実行し（Ｓ１９）、Ｓ１に戻る。
【００５６】
（本実施形態の効果）
本実施形態によれば、読取デバイス６が、縦向き配置領域内であって、且つ、横向き配置領域の外である対象領域からの光を受光可能な受光位置Ｘ３に移動される。そして、この受光位置Ｘ３での受光部６Ｂの受光結果は、原稿４が縦向き配置領域に配置された場合と、原稿４が横向き配置領域に配置された場合とで互いに異なる。従って、受光部６Ｂの受光結果から、原稿４が縦向きか横向きかを判別することができる。このように、読取デバイス６を、対象領域Ｅ上の原稿４の有無を検知するためのセンサとして利用することにより、専用のセンサを設けることなく、原稿４の配置向きを判別することが可能である。或いは、専用のセンサを設けた構成において更に原稿４の配置向きの判別精度を向上させることが可能である。
【００５７】
更に、主走査方向の幅を検知することにより、例えば縦向きのＡ４サイズの原稿と、縦向きのＡ３サイズの原稿とを区別することができる。従って、縦向きか横向きかどうかの判別結果、および、主走査方向の幅の検知結果に基づき、プラテンガラス１２に配置されている原稿４のサイズおよび配置向きを決定することができる。
【００５８】
原稿配置部５にカバー３が開閉可能に設けられている構成では、カバー３が開状態になった場合、原稿４がプラテンガラス１２に配置される可能性が高い。そこで、本実施形態によれば、カバーセンサ８によりカバー３が開状態であることが検知された時点で、読取デバイス６を待機位置Ｘ０から受光位置Ｘ３に向けて移動させる動作が開始される（図８、図９参照）。従って、原稿４がプラテンガラス１２に配置される可能性が高い場合、読取デバイス６を早期に受光位置Ｘ３に移動させて対象領域Ｅに原稿４が有るか否かの判断処理を行うことができる。
【００５９】
また、カバー３が開状態であるときに原稿４が配置されたり、配置された原稿４が取り除かれたりする。そこで、カバー３が閉状態になる直前の判断処理の判断結果に基づき、原稿４の有無の最終的な状態を判断し、原稿４の配置向き等の判別精度を向上させることができる。
【００６０】
また、対象領域Ｅは、最小サイズの縦向き配置領域内であって、最大サイズの横向き配置領域の外の領域とされている。従って、様々なサイズの原稿４に対して配置向きを判別することが可能である。
【００６１】
＜他の実施形態＞
本明細書で開示される技術は上記記述及び図面によって説明した実施形態に限定されるものではなく、例えば次のような種々の態様も含まれる。
【００６２】
上記実施形態では、画像読取装置の一例として、スキャナ機能のみを有するスキャナ装置１を例に挙げた。しかし、これに限らず、画像読取装置は、コピー機、ファクシミリ装置や、複数の機能を有する複合機などでもよい。また、上記実施形態では、画像読取部の一例として、ＣＩＳを有する読取デバイス６を例に挙げた。しかし、画像読取部は、これに限らず、例えばＣＣＤ（Ｃｈａｒｇｅ  Ｃｏｕｐｌｅｄ  Ｄｒｉｖｅ  Ｉｍａｇｅ  Ｓｅｎｓｏｒ）を有する構成でもよい。
【００６３】
上記実施形態では、制御部の一例として、ＣＰＵ３３と、ハード回路としての画像処理部３６とによって各処理を実行する制御部３１を例に挙げた。しかし、制御部は、これに限らず、１または複数のＣＰＵのみで各処理を実行する構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみで各処理を実行する構成や、ハード回路及びＣＰＵの両方を備える構成でもよい。例えば上記制御処理の一部または全部を、別々のＣＰＵやハード回路で実行する構成でもよい。
【００６４】
上記実施形態では、原稿配置判別プログラムの一例として、ＲＯＭ３４に記憶されたものを例に挙げた。しかし、原稿配置判別プログラムは、これに限らず、ハードディスク装置、フラッシュメモリ（登録商標）などの不揮発性メモリや、ＣＤ−Ｒなどの記憶媒体などに記憶されたものでもよい。
【００６５】
上記実施形態では、原稿サイズ決定テーブルは、市販の定型サイズに基づき作成されたものであった。しかし、予め定めたサイズであれば、市販の定型サイズ以外のサイズに基づき作成したものでもよい。また、市販の定型サイズとしては、レターサイズやリーガルサイズでもよい。
【００６６】
上記実施形態では、各原稿４を配置する基準となる所定位置の一例として、プラテンガラス１２の１つの角を例に挙げた。しかし、所定位置は、これに限らず、例えばプラテンガラス１２の左辺の中心位置などでもよく、要するに、様々なサイズの原稿４を配置する際に基準となる位置であればよい。
【００６７】
上記実施形態では、原稿有無更新処理において、光源６Ａを消灯させた。しかし、これに限らず、光源６Ａを点灯させる構成でもよく、この構成であれば、カバー３が閉じられても、原稿４の有無により受光部６Ｂの受光結果が相違すれば原稿４の有無を判断することが可能になる。
【００６８】
上記実施形態では、Ｓ１８において、原稿サイズおよび配置向きを決定した。しかし、これに限らず、例えば原稿サイズが予め分かっている場合には、配置向きのみ決定する構成でもよい。この場合、Ｓ１７のプレスキャンを省略することができる。
【符号の説明】
【００６９】
１：スキャナ装置  ３：カバー  ４：原稿  ６：読取デバイス  ６Ａ：光源  ６Ｂ：受光部  ７：移動機構  １２：プラテンガラス  ３１：制御部  Ｅ：対象領域  Ｚ：合わせ位置  Ｘ０：待機位置  Ｖ３：受光位置
【図１】
0005768752.tif 000002
【図２】
0005768752.tif 000003
【図３】
0005768752.tif 000004
【図４】
0005768752.tif 000005
【図５】
0005768752.tif 000006
【図６】
0005768752.tif 000007
【図７】
0005768752.tif 000008
【図８】
0005768752.tif 000009
【図９】
0005768752.tif 000010
【図１０】
0005768752.tif 000011